(57)【特許請求の範囲】
【請求項１】
第１及び第２液晶ディスプレイモジュールを有する撮影画像表示装置であって、
前記各液晶ディスプレイモジュールは、
画像データを格納するためのグラフィックメモリと、
前記グラフィックメモリに格納された画像データに基いて画像を表示する液晶ディスプレイと、
を有し、
前記撮影画像表示装置は、
被写体の光像を取り込み、取り込んだ光像を画像データに変換して逐次出力するカメラと、
前記カメラによって逐次出力される画像データを前記第１液晶ディスプレイモジュールのグラフィックメモリへ転送する転送手段と、
フレーム画像データを記録している画像データ記録媒体と、
前記転送手段が転送中であるか否かを判定する判定手段と、
転送中でない時に、第１液晶ディスプレイモジュールの前記グラフィックメモリから前記画像データを読み出し、読み出した前記画像データと前記フレーム画像データとを合成し、合成した画像データを第２液晶ディスプレイモジュールのグラフィックメモリに転送する転送手段と
を備えることを特徴とする撮影画像表示装置。
【請求項２】
前記撮影画像表示装置はさらに、第２液晶ディスプレイモジュールの前記グラフィックメモリに格納された前記画像データの記録指示を受取る記録指示受取手段と、
前記記録指示を受取ると、前記合成画像データを前記画像データ記録媒体に記録する記録手段と
を備えることを特徴とする請求項１記載の撮影画像表示装置。
【請求項３】
画像データを一時的に格納するグラフィックメモリと、画像データを表示する液晶ディスプレイとを有する第１及び第２液晶ディスプレイモジュールと、フレーム画像データを記録している画像データ記録媒体とを備える撮影画像表示装置における撮影画像表示方法であって、
被写体の光像を取り込み、取り込んだ光像を画像データに変換して逐次出力するカメラ撮影ステップと、
前記カメラによって逐次出力される画像データを前記第１液晶ディスプレイモジュールのグラフィックメモリへ転送する転送ステップと、
前記転送ステップが転送中であるか否かを判定する判定ステップと、
転送中でない時に、第１液晶ディスプレイモジュールの前記グラフィックメモリから前記画像データを読み出し、読み出した前記画像データと前記フレーム画像データを合成し、合成した画像データを第２液晶ディスプレイモジュールのグラフィックメモリに転送する転送ステップと
を含むことを特徴とする撮影画像表示方法。
【請求項４】
第１及び第２液晶ディスプレイモジュールを有する携帯電話機であって、
前記各液晶ディスプレイモジュールは、
画像データを格納するためのグラフィックメモリと、
前記グラフィックメモリに格納された画像データに基いて画像を表示する液晶ディスプレイと、
を有し、
前記撮影画像表示装置は、
被写体の光像を取り込み、取り込んだ光像を画像データに変換して逐次出力するカメラと、
前記カメラによって逐次出力される画像データを前記第１液晶ディスプレイモジュールのグラフィックメモリへ転送する転送手段と、
フレーム画像データを記録している画像データ記録媒体と、
前記転送手段が転送中であるか否かを判定する判定手段と、
転送中でない時に、第１液晶ディスプレイモジュールの前記グラフィックメモリから前記画像データを読み出し、読み出した前記画像データと前記フレーム画像データとを合成し、合成した画像データを第２液晶ディスプレイモジュールのグラフィックメモリに転送する転送手段と
を備えることを特徴とする携帯電話機。
【発明の詳細な説明】
【０００１】
【発明の属する技術分野】
本発明は、画像の表示機能を備えたディジタルカメラ、携帯電話機等における撮影画像表示装置及び撮影画像表示方法に関する。
【０００２】
【従来の技術】
近年、光を電気信号に変換するＣＣＤ（Charge Coupled Device）等の半導体受光素子を利用した各種の撮影画像表示装置（例えば、ディジタルカメラ、当該カメラを装備した携帯電話機、ＰＤＡ（Personal Digital Assistants）等の携帯通信端末）が急速に普及してきている。
【０００３】
図９は、従来の撮影画像表示装置１００の構成の１例を示す機能ブロック図である。
撮影画像表示装置１００は、カメラ部１１０、フレームメモリ１２０、液晶ディスプレイモジュール１３０、ＣＰＵ１４０、操作部１５０、記録部１６０、ＡＳＩＣ（Application Specific Integrated Circuit）１７０から構成される。
【０００４】
カメラ部１１０は、被写体を撮影し、撮影の結果取得された画像データ（以下、「撮影画像データ」という。）を、一定の時間間隔でＡＳＩＣ１７０に出力する。
ここで、「撮影」とは、カメラの撮影レンズによって被写体の像を半導体受光素子の受光面に結像し、結像した像を画像データに変換することをいう。
フレームメモリ１２０は、ＡＳＩＣ１７０から転送される撮影画像データを一時的に格納している。
【０００５】
液晶ディスプレイモジュール１３０は、ＧＲＡＭ（グラフィックランダムアクセスメモリ）１３１と液晶ディスプレイ（Liquid Crystal Display）１３２を含み、ＡＳＩＣ１７０から入力される撮影画像データを液晶ディスプレイに表示する。
ＧＲＡＭ１３１は、ＡＳＩＣ１７０から入力される撮影画像データを一時的に格納している。
【０００６】
液晶ディスプレイ１３２は、撮影画像データを表示する。
ＣＰＵ１４０は、操作部１５０から入力されるユーザー指示を受取り、対応する指示を該当する構成部に与える。例えば、受取ったユーザー指示が撮影開始指示である場合には、ＡＳＩＣ１７０にカメラ撮影処理の実行を指示し、撮影画像記録指示である場合には、フレームメモリ１２０に格納されている撮影画像データを読出し、記録部１６０に読み出した撮影画像データを記録する。
【０００７】
操作部１５０は、ユーザーからのユーザー指示の入力があると、対応する指示信号を生成し、ＣＰＵ１４０に出力する。
記録部１６０は、ＣＰＵ１４０によって入力された撮影画像データを記録している。
ＡＳＩＣ１７０は、カメラ撮影処理を制御する。具体的には、ＣＰＵ１４０より、カメラ撮影処理の実行を指示されると、カメラ部１１０から一定の時間間隔で出力される撮影画像データを取得し、取得した撮影画像データについて、色の補正等の画像処理を行った後、当該撮影画像データをフレームメモリ１２０に転送し、さらにフレームメモリ１２０から転送した撮影画像データを読出し、液晶ディスプレイモジュール１３０に出力する。
【０００８】
利用者は、上記撮影装置を活用することにより、所望の画像を撮影し、記録することができる。
このように、従来の撮影画像表示装置においては、ユーザーからの撮影画像データ記録指示に応じて、撮影画像データを随時取り出せるようにするために、バッファメモリとしてフレームメモリを必要としている。
【０００９】
【発明が解決しようとする課題】
しかしながら、小型化、低コスト化が急速に進む携帯電話機のような携帯通信端末の技術分野において、フレームメモリの不要化による更なる製品の小型化及び低コスト化が要請される。
そこで、本発明は、フレームメモリを使用しない、従来より簡素な装置構成の撮影画像表示装置及び撮影画像表示方法を提供することを目的とする。
【００１０】
【課題を解決するための手段】
上記課題を解決するため、本発明は、液晶ディスプレイモジュールを有する撮影画像表示装置であって、前記液晶ディスプレイモジュールは、画像データを一時的に格納するグラフィックメモリと、画像データを表示する液晶ディスプレイとを有し、前記撮影画像表示装置は、被写体の光像を取り込み、取り込んだ光像を画像データに変換して逐次出力するカメラと、前記カメラによって逐次出力される画像データを、前記グラフィックメモリへ転送する転送手段と、を備えることを特徴とする。
【００１１】
又、本発明は、画像データを格納するためのグラフィックメモリと、前記グラフィックメモリに格納された画像データに基いて画像を表示する液晶ディスプレイとを有する液晶ディスプレイモジュールと画像データを記録するための記録媒体とを備える撮影画像表示装置における撮影画像表示方法であって、被写体の光像を取り込み、取り込んだ光像を画像データに変換して逐次出力するカメラ撮影ステップと、前記カメラ撮影ステップによって逐次出力される画像データを前記グラフィックメモリへ転送する転送ステップと前記グラフィックメモリに格納された画像データの記録指示を受取る記録指示受取ステップと、前記転送手段が転送中であるか否かを判定する判定ステップと、前記記録指示を受取ると、転送中でない時に、前記グラフィックメモリから前記画像データを読み出し、読み出した前記画像データを前記画像データ記録媒体に記録する記録ステップとを含むことを特徴とする。
【００１２】
【発明の実施の形態】
（実施の形態１）
本発明は、液晶ディスプレイモジュールを有する撮影画像表示装置であって、上記液晶ディスプレイモジュールは、画像データを格納するためのグラフィックメモリと、上記グラフィックメモリに格納されている画像データに基いて画像を表示する液晶ディスプレイとを有し、上記撮影画像表示装置は、被写体の光像を取り込み、取り込んだ光像を画像データに変換して逐次出力するカメラと、画像データを記録するための画像データ記録媒体とを備え、上記カメラによって逐次出力されている画像データを上記グラフィックメモリへ転送し、上記グラフィックメモリに格納されている画像データの記録指示を受取ると、上記画像データが上記グラフィックメモリへ転送中であるか否かを判定し、転送中でない時に、上記グラフィックメモリに格納されている画像データを読み出し、読み出した画像データを上記画像データ記録媒体に記録することを特徴とする。
【００１３】
＜構成＞
図１は、本実施の形態１における撮影画像表示装置２００の構成を示す。撮影画像表示装置２００は、カメラ部２１０、液晶ディスプレイ（ＬＣＤ（Ｌｉｑｕｉｄ  Ｃｒｙｓｔａｌ  Ｄｉｓｐｌａｙ））モジュール２３０、ＣＰＵ２４０、操作部２５０、記録部２６０、ＡＳＩＣ（Application Specific integrated Circuit）２７０から構成される。
【００１４】
カメラ部２１０は、カメラ部２１０は、以下の（１）〜（４）の処理を周期的に繰り返し実行する。
（１）被写体を撮影する。（２）撮影画像データを一定の時間間隔でＡＳＩＣ２７０に出力する。（３）撮影画像データ出力開始時に出力開始通知信号をＡＳＩＣ２７０に出力する。（４）出力終了時に出力終了通知信号をＡＳＩＣ２７０に出力する。
【００１５】
液晶ディスプレイモジュール２３０は、ＧＲＡＭ（グラフィックランダムアクセスメモリ）２３１と液晶ディスプレイ２３２を含み、ＡＳＩＣ２７０から転送される撮影画像データを液晶ディスプレイに表示する。
ＧＲＡＭ２３１は、ＡＳＩＣ２７０から転送される撮影画像データを一時的に格納している。なお、ＧＲＡＭ２３１が格納している撮影画像データは、次の撮影画像データがＡＳＩＣ２７０から転送されると、当該撮影画像データによって上書きされる。
【００１６】
液晶ディスプレイ２３２は、ＧＲＡＭ２３１に格納されている撮影画像データに基いて撮影画像を表示する。
ＣＰＵ２４０は、操作部２５０から入力されるユーザー指示を受取り、受取った指示に応じて、対応する指示を他の構成部に与えたり、対応する処理を実行する。例えば、受取ったユーザー指示が撮影開始指示である場合には、ＡＳＩＣ２７０にカメラ撮影処理の実行を指示し、撮影処理終了指示である場合には、ＡＳＩＣ２７０にカメラ撮影処理の終了を指示し、撮影画像記録指示である場合には、撮影画像データ記録処理、すなわち、ＡＳＩＣ２７０によって撮影画像データがＧＲＡＭ２３１に転送中でない時に、ＧＲＡＭ２３１に格納されている撮影画像データを読出し、記録部２６０に読み出した撮影画像データを記録する処理を実行する。
【００１７】
ここで、ＣＰＵ２４０は、ＡＳＩＣ２７０の示すフラグの値によって、ＡＳＩＣ２７０が撮影画像データを転送中であるか否かを判定する。具体的には、フラグの値が「１」である場合に、転送中であると判定し、「０」である場合に、転送中でないと判定する。
又、「撮影開始指示」とは、カメラ部２１０で撮影した被写体の撮影画像データを液晶ディスプレイモジュール２３０に表示させるためのユーザー指示のことをいう。
【００１８】
又、「撮影画像記録指示」とは、カメラ部２１０撮影した被写体の撮影画像データを記録部２６０に記録させるためのユーザー指示のことをいう。
又、「撮影処理終了指示」とは、カメラ部２１０で撮影した被写体の撮影画像データを液晶ディスプレイモジュール２３０に表示させるための処理を終了させるためのユーザー指示のことをいう。
【００１９】
操作部２５０は、ユーザー指示を受け付けるためのキー入力部（図外）を有し、キー入力に応じて、対応する指示信号を生成し、ＣＰＵ２４０に出力する。
記録部２６０は、ＣＰＵ２４０によって入力された撮影画像データを記録している。
ＡＳＩＣ２７０は、カメラ撮影処理の用途向けに設計されたＩＣであり、例えばプロセッサ、メモリ、入出力回路、インタフェース回路、通信回路などから構成される。
【００２０】
ＡＳＩＣ２７０は、カメラ撮影処理を制御する。具体的には、ＣＰＵ２４０より、カメラ撮影処理の実行を指示されると、カメラ部２１０から一定の時間間隔で出力される撮影画像データを取得し、取得した撮影画像データを液晶ディスプレイモジュール２３０に転送する処理を行う。又、ＣＰＵ２４０より、カメラ撮影処理の終了を指示されると、上記の処理を終了する。
【００２１】
上記処理において、ＡＳＩＣ２７０は、カメラ部２１０より出力開始信号の入力があると、撮影画像が転送中であるか否かを示すフラグの値を「１」に設定し、カメラ部２１０より出力終了信号の入力があると、上記フラグの値を「０」に設定する。設定されたフラグの値を記憶保持するレジスタは、ＣＰＵ２４０から読み取ることができる。
【００２２】
＜動作＞
次に、ＡＳＩＣ２７０の行うカメラ撮影処理について、フローチャートを用いて説明する。図２は、上記処理を示すフローチャートである。
ＡＳＩＣ２７０は、ＣＰＵ２４０からカメラ撮影処理の実行指示があると（ステップＳ１００１：Ｙ）、カメラ部２１０から撮影画像データ出力開始信号の入力が有るか否かを判定する（ステップＳ１００２）。
【００２３】
入力が有ると（ステップＳ１００２：Ｙ）、フラグの値を「１」に設定し（ステップＳ１００３）、カメラ部２１０から入力された撮影画像データを取得し（ステップＳ１００４）、取得した撮影画像データを液晶ディスプレイモジュール２３０のＧＲＡＭ２３１に転送し（ステップＳ１００５）、カメラ部２１０から撮影画像データ出力終了信号の入力が有るか否かを判定する（ステップＳ１００６）。
【００２４】
入力があると（ステップＳ１００６：Ｙ）、フラグの値を「０」に設定し（ステップＳ１００７）、液晶ディスプレイはＧＲＡＭ２３１に格納されている撮影画像データに基いて、撮影画像を表示する（ステップＳ１００８）。
入力が無いと（ステップＳ１００６：Ｎ）、ステップＳ１００４〜ステップＳ１００６の処理を繰り返す。
【００２５】
さらに、ＣＰＵ２４０から撮影処理終了指示があると（ステップＳ１００９：Ｙ）、撮影処理を終了し、無い場合（ステップＳ１００９：Ｎ）、ステップＳ１００２〜ステップＳ１００９の処理を繰り返す。
次にＣＰＵ２４０の行う撮影画像データ記録処理について説明する。図３は、上記処理を示すフローチャートである。以下、図３のフローチャートを用いて、上記処理について説明する。
【００２６】
ＣＰＵ２４０は、上記カメラ撮影処理中（ステップＳ１００２〜ステップＳ１００８）に、操作部２５０を介してユーザーから撮影画像記録指示を受取ると（ステップＳ１１０１：Ｙ）、ＡＳＩＣ２７０のフラグの値が「１」であるか「０」であるかを読み取ることにより、撮影画像データが液晶ディスプレイモジュール２３０のＧＲＡＭ２３１に転送中であるか否かを判定する（ステップＳ１１０２）。
【００２７】
転送中でない場合（ステップＳ１１０２：Ｎ）、ＣＰＵ２４０は、ＧＲＡＭ２３１に格納されている撮影画像データを読出し（ステップＳ１１０３）、読み出した撮影画像データを記録部２６０にに記録する（ステップＳ１１０４）。
転送中の場合（ステップＳ１１０２：Ｙ）、転送が終了するまで待機し（ステップＳ１１０６、ステップＳ１１０７）、転送が終了した（ＡＳＩＣのフラグの値が「０」に設定された）場合（ステップＳ１１０７：Ｙ）、ステップＳ１１０３〜ステップＳ１１０４の処理を行う。
（実施の形態２）
＜構成＞
図４は、本実施の形態２における撮影画像表示装置３００の構成を示す。撮影画像表示装置３００は、カメラ部２１０、液晶ディスプレイモジュール２３０、液晶ディスプレイモジュール３３０、ＣＰＵ３４０、操作部２５０、記録部３６０、ＡＳＩＣ（Application Specific integrated Circuit）２７０から構成される。
【００２８】
なお、図１に示された実施の形態１における撮影画像表示装置２００と同一の構成要素については同一の符号を付し、以下相違点を中心に説明する。
液晶ディスプレイモジュール３３０は、ＧＲＡＭ（グラフィックランダムアクセスメモリ）３３１と液晶ディスプレイ（Liquid Crystal Display）３３２を含み、ＧＲＡＭに格納されている合成画像データを液晶ディスプレイに表示する。
【００２９】
ここで、「合成画像データ」とは、ＧＲＡＭ２３１に格納されている撮影画像データと記録部３６０に記録されているフレーム画像データとをＣＰＵ３４０が読み出し、両画像データを合成することにより生成する画像データのことをいう。
具体的には、ＣＰＵ３４０が撮影画像データをＧＲＡＭ３３１に格納した後、格納された撮影画像データで占有されているＧＲＡＭ３３１のメモリ領域の一部分をフレーム画像データで上書きすることにより生成する画像データのことをいう。
【００３０】
ＧＲＡＭ３３１は、合成画像データを一時的に格納している。
図５(A)は、上書きされる前の撮影画像データの表示例を示し、図５(B)は、上書きされた後の合成画像データの表示例を示す。
又、「フレーム画像データ」とは、予め記録部３６０に記録されているハートマーク、星マーク等のテンプレート画像データのことをいう。図６(A)〜(C)に、フレーム画像データの示す画像の表示例を示す。
【００３１】
なお、ＧＲＡＭ３３１が格納している合成画像データは、次の合成画像データがＣＰＵ３４０から入力されると、当該合成画像データによって上書きされる。液晶ディスプレイ３３２は、ＧＲＡＭ３３１に格納されている合成画像データに基いて、合成画像を表示する。
ＣＰＵ３４０は、ＣＰＵ２４０の有する機能に加え、合成画像表示処理を実行する。
【００３２】
具体的には、ＣＰＵ３４０は、操作部２５０を介してユーザーから合成画像表示指示を受取ると、ＡＳＩＣ２７０によって撮影画像データがＧＲＡＭ２３１に転送中でない時に、ＧＲＡＭ２３１に格納されている撮影画像データを読出し、さらに、記録部３６０に予め記録されているフレーム画像データを読出し、撮影画像データとフレーム画像データとを合成し、ＧＲＡＭ３３１に合成した合成画像データを格納する。
【００３３】
ここで、「合成画像表示指示」とは、撮影した画像を図５（B）に示すような合成画像として表示させるためのユーザー指示のことをいう。
又、ＣＰＵ３４０は、操作部２５０を介してユーザーから合成画像表示処理終了指示を受取ると、合成画像表示処理の実行を終了する。
ここで、「合成画像表示処理終了指示」とは、合成画像表示処理を終了させるためのユーザー指示のことをいう。
【００３４】
なお、ユーザーは、上記指示操作において、所望のフレーム画像データを、識別子を指定することにより、指示することとしてもよい。この場合、ＣＰＵ３４０は、上記合成画像表示処理において、記録部３６０から、ユーザーが指定した識別子に対応するフレーム画像データ（例えば、図６（Ａ）のフレーム画像を示すフレーム画像データ）を読み出す。
【００３５】
記録部３６０は、予め少なくとも１つ以上のフレーム画像データを、当該画像データを示す識別子と対応付けて記録している。
＜動作＞
ＡＳＩＣ２７０の行うカメラ撮影処理については、実施の形態１において説明済みであるので、説明を省略する。
【００３６】
次に、ＣＰＵ３４０の行う合成画像表示処理の詳細について、フローチャートを用いて説明する。図７は、上記処理を示すフローチャートである。
ＣＰＵ３４０はカメラ撮影処理中に、操作部２５０を介してユーザーから合成画像表示指示を受取ると（ステップＳ１２０１：Ｙ）、ＡＳＩＣ２７０のフラグの値が「１」であるか「０」であるかを読み取ることにより、撮影画像データが液晶ディスプレイモジュール２３０のＧＲＡＭ２３１に転送中であるか否かを判定する（ステップＳ１２０２）。
【００３７】
転送中でない場合（ステップＳ１２０２：Ｎ）、ＣＰＵ３４０は、ＧＲＡＭ２３１に格納されている撮影画像データを読出し（ステップＳ１２０３）、さらに記録部３６０に予め記録されているフレーム画像データを読出し（ステップＳ１２０４）、読み出した両画像データを合成し（ステップＳ１２０５）、合成した画像データを液晶ディスプレイモジュール３３０のＧＲＡＭ３３１に格納し（ステップＳ１２０６）、格納が完了すると、液晶ディスプレイは、ＧＲＡＭ３３１に格納されている合成画像データに基いて、合成画像を表示する
（ステップＳ１２０７）。
【００３８】
転送中の場合（ステップＳ１２０２：Ｙ）、転送が終了するまで待機し（ステップＳ１２０９、ステップＳ１２１０）、転送が終了した（ＡＳＩＣのフラグの値が「０」に設定された）場合（ステップＳ１２１０：Ｙ）、ステップＳ１２０３〜ステップＳ１２０７の処理を行う。
ＣＰＵ３４０は、操作部２５０を介してユーザーから合成画像表示処理終了指示を受取ると（ステップＳ１２０８：Ｙ）、合成画像表示処理を終了し、受取らない場合（ステップＳ１２０８：Ｎ）は、ステップ１２０２の処理に戻る。
以上、本発明の実施の形態について説明したが、本発明はこの実施の形態に限定されないのは言うまでもない。
【００３９】
例えば、本発明の実施の形態１及び２における撮影画像表示装置は、携帯電話機、デジタルカメラ、ビデオカメラ、ＰＤＡ（Personal Digital Assistants）等の携帯端末その他の電子機器に実装することとしてもよい。
図１０は、実施の形態２における撮影画像表示装置３００を携帯電話機に実装した場合の機能ブロック図の一例を示す。なお、実装例は、図１０の場合に限定されることはない。例えば、図１０において、ＣＰＵ３４０をＣＰＵ２４０にし、記録部３６０を記録部２６０にし、ＬＣＤモジュール３３０を含まないこととしてもよい。
【００４０】
上記携帯電話機は、アンテナ１、送受信部２、メモリ３、変復調部４、音声処理部５、マイク６、レシーバ７、制御部８と撮影画像表示装置３００とから構成される。アンテナ１は、通信電波を送受信し、送受信部２は、通信電波として通信するための通信データの送受信を行い、メモリ３は、記録部３６０を有し、変復調部４は通信データの変調及び復調を行い、音声処理部５は、変復調部４から出力された通信データをＤ／Ａ変換し、音声信号としてレシーバー７に出力し、マイク６から出力された音声を音声信号に変換し、送信用通信データとして、変復調部４に出力し、制御部８は、マイクロプロセッサとＲＯＭなどを含み、ＲＯＭに格納された制御プログラムを実行することにより携帯電話機全体の制御を行う。
【００４１】
又、実施の形態２においては、合成画像データを、液晶ディスプレイ３３２に表示するとしたが、さらに、ＣＰＵ３４０が操作部２５０を介してユーザーから合成画像データを記録するための合成画像記録指示を受取ると、合成画像データを記録部３６０に記録することとしてもよい。上記の合成画像記録処理が含まれる場合のＣＰＵ３４０の行う合成画像表示処理を示すフローチャートを図８に示す。
【００４２】
図８のフローチャートにおいて、ＣＰＵ３４０は、操作部２５０を介してユーザーから合成画像記録指示を受取ると（ステップＳ１２１１：Ｙ）、ＧＲＡＭ３３１に格納されている合成画像データを読出し、記録部３６０に記録する（ステップＳ１２１２）。図８におけるその他のステップにおける処理については、図７における対応するステップ番号における処理と同じであるので説明を省略する。
【００４３】
又、実施の形態２において、合成画像データを液晶ディスプレイ３３２に表示している間、ＣＰＵ３４０は、液晶ディスプレイ２３２への撮影画像データの表示を抑止することとしてもよい。
【００４４】
【発明の効果】
（１）本発明は、液晶ディスプレイモジュールを有する撮影画像表示装置であって、前記液晶ディスプレイモジュールは、画像データを格納するためのグラフィックメモリと、前記グラフィックメモリに格納された画像データに基いて画像を表示する液晶ディスプレイとを有し、前記撮影画像表示装置は、被写体の光像を取り込み、取り込んだ光像を画像データに変換して逐次出力するカメラと、前記カメラによって逐次出力される画像データを前記グラフィックメモリへ転送する転送手段と、画像データを記録するための画像データ記録媒体と、前記グラフィックメモリに格納された画像データの記録指示を受取る記録指示受取手段と、前記転送手段が転送中であるか否かを判定する判定手段と、前記記録指示を受取ると、転送中でない時に、前記グラフィックメモリから前記画像データを読み出し、読み出した前記画像データを前記画像データ記録媒体に記録する記録手段と、を備える。
【００４５】
（２）又、本発明は、画像データを格納するためのグラフィックメモリと、前記グラフィックメモリに格納された画像データに基いて画像を表示する液晶ディスプレイとを有する液晶ディスプレイモジュールと画像データを記録するための記録媒体とを備える撮影画像表示装置における撮影画像表示方法であって、被写体の光像を取り込み、取り込んだ光像を画像データに変換して逐次出力するカメラ撮影ステップと、前記カメラ撮影ステップによって逐次出力される画像データを前記グラフィックメモリへ転送する転送ステップと前記グラフィックメモリに格納された画像データの記録指示を受取る記録指示受取ステップと、前記転送手段が転送中であるか否かを判定する判定ステップと、前記記録指示を受取ると、転送中でない時に、前記グラフィックメモリから前記画像データを読み出し、読み出した前記画像データを前記画像データ記録媒体に記録する記録ステップと、を含む撮影画像表示方法であってもよい。
【００４６】
（３）又、本発明は、液晶ディスプレイモジュールを有する携帯電話機であって、前記液晶ディスプレイモジュールは、画像データを格納するためのグラフィックメモリと、前記グラフィックメモリに格納された画像データに基いて画像を表示する液晶ディスプレイとを有し、前記撮影画像表示装置は、被写体の光像を取り込み、取り込んだ光像を画像データに変換して逐次出力するカメラと、前記カメラによって逐次出力される画像データを前記グラフィックメモリへ転送する転送手段と、画像データを記録するための画像データ記録媒体と、前記グラフィックメモリに格納された画像データの記録指示を受取る記録指示受取手段と、前記転送手段が転送中であるか否かを判定する判定手段と、前記記録指示を受取ると、転送中でない時に、前記グラフィックメモリから前記画像データを読み出し、読み出した前記画像データを前記画像データ記録媒体に記録する記録手段とを備えることとしてもよい。
【００４７】
これにより、ユーザーからの記録指示に応じて、撮影された被写体の画像データは、液晶ディスプレイモジュールのグラフィックメモリから直接取り出され、記録媒体に記録されるので、撮影された被写体の画像データを格納するための、フレームメモリなどのバッファメモリを使用することなく、撮影された被写体の画像データを記録媒体に記録することができ、装置構成を従来に比べ、より簡素にすることができる。
【００４８】
（４）又、本発明は、第１及び第２液晶ディスプレイモジュールを有する撮影画像表示装置であって、前記各液晶ディスプレイモジュールは、画像データを格納するためのグラフィックメモリと、前記グラフィックメモリに格納された画像データに基いて画像を表示する液晶ディスプレイとを有し、前記撮影画像表示装置は、被写体の光像を取り込み、取り込んだ光像を画像データに変換して逐次出力するカメラと、前記カメラによって逐次出力される画像データを前記第１液晶ディスプレイモジュールのグラフィックメモリへ転送する転送手段と、フレーム画像データを記録している画像データ記録媒体と、前記転送手段が転送中であるか否かを判定する判定手段と、転送中でない時に、第１液晶ディスプレイモジュールの前記グラフィックメモリから前記画像データを読み出し、読み出した前記画像データと前記フレーム画像データとを合成し、合成した画像データを第２液晶ディスプレイモジュールのグラフィックメモリに転送する転送手段とを備えることとしてもよい。
【００４９】
（５）又、本発明は、画像データを一時的に格納するグラフィックメモリと、画像データを表示する液晶ディスプレイとを有する第１及び第２液晶ディスプレイモジュールと、フレーム画像データを記録している画像データ記録媒体とを備える撮影画像表示装置における撮影画像表示方法であって、被写体の光像を取り込み、取り込んだ光像を画像データに変換して逐次出力するカメラ撮影ステップと、前記カメラによって逐次出力される画像データを前記第１液晶ディスプレイモジュールのグラフィックメモリへ転送する転送ステップと、前記転送ステップが転送中であるか否かを判定する判定ステップと、転送中でない時に、第１液晶ディスプレイモジュールの前記グラフィックメモリから前記画像データを読み出し、読み出した前記画像データと前記フレーム画像データを合成し、合成した画像データを第２液晶ディスプレイモジュールのグラフィックメモリに転送する転送ステップとを含む撮影画像表示方法であってもよい。
【００５０】
（６）又、本発明は、第１及び第２液晶ディスプレイモジュールを有する携帯電話機であって、前記各液晶ディスプレイモジュールは、画像データを格納するためのグラフィックメモリと、前記グラフィックメモリに格納された画像データに基いて画像を表示する液晶ディスプレイとを有し、前記撮影画像表示装置は、被写体の光像を取り込み、取り込んだ光像を画像データに変換して逐次出力するカメラと、前記カメラによって逐次出力される画像データを前記第１液晶ディスプレイモジュールのグラフィックメモリへ転送する転送手段と、フレーム画像データを記録している画像データ記録媒体と、前記転送手段が転送中であるか否かを判定する判定手段と、転送中でない時に、第１液晶ディスプレイモジュールの前記グラフィックメモリから前記画像データを読み出し、読み出した前記画像データと前記フレーム画像データとを合成し、合成した画像データを第２液晶ディスプレイモジュールのグラフィックメモリに転送する転送手段とを備えることとしてもよい。
【００５１】
これにより、第１液晶ディスプレイモジュールのグラフィックメモリから、撮影された被写体の画像データが取り出され、取り出された画像と画像データ記録媒体に記録されているフレーム画像データとから合成された合成画像データは、第２液晶ディスプレイモジュールのグラフィックメモリに転送され、当該液晶ディスプレイモジュールの液晶ディスプレイに表示されるので、バッファメモリを使用することなく、撮影された被写体の合成画像を液晶ディスプレイに表示することができる。
【００５２】
（７）又、（４）において、前記撮影画像表示装置はさらに、第２液晶ディスプレイモジュールの前記グラフィックメモリに格納された前記画像データの記録指示を受取る記録指示受取手段と、前記記録指示を受取ると、前記合成画像データを前記画像データ記録媒体に記録する記録手段とを備えてもよい。
これにより、撮影された被写体の合成画像を記録することができる。
【図面の簡単な説明】
【図１】本実施の形態１における撮影画像表示装置２００の構成を示す機能ブロック図である。
【図２】ＡＳＩＣ２７０の行うカメラ撮影処理を示すフローチャートである。
【図３】ＣＰＵ２４０の行う撮影画像データ記録処理を示すフローチャートである。
【図４】本実施の形態２における撮影画像表示装置３００の構成を示す機能ブロック図である。
【図５】上書きされる前の撮影画像データと上書きされた後の合成画像データの表示例を示す。
【図６】フレーム画像データの示す画像の表示例を示す。
【図７】ＣＰＵ３４０の行う合成画像表示処理を示すフローチャートである。
【図８】合成画像記録処理が含まれる場合のＣＰＵ３４０の行う合成画像表示処理を示すフローチャートである。
【図９】従来の撮影画像表示装置１００の構成の１例を示す機能ブロック図である。
【図１０】実施の形態２における撮影画像表示装置３００を携帯電話機に実装した場合の機能ブロック図の一例を示す。
【符号の説明】
１      アンテナ
２      送受信部
３      変復調部
５      音声処理部
６      マイク
７      レシーバ
８      制御部
１００  従来の撮影画像表示装置
１１０、２１０  カメラ部
１２０  フレームメモリ
１３０、２３０、３３０  液晶ディスプレイモジュール
１３１、２３１、３３１  ＧＲＡＭ
１３２、２３２、３３２  液晶ディスプレイ
１４０、２４０、３４０  ＣＰＵ
１５０、２５０  操作部
１６０、２６０、３６０  記録部
１７０、２７０  ＡＳＩＣ
【図１】
0003948986.tif 000002
【図２】
0003948986.tif 000003
【図３】
0003948986.tif 000004
【図４】
0003948986.tif 000005
【図５】
0003948986.tif 000006
【図６】
0003948986.tif 000007
【図７】
0003948986.tif 000008
【図８】
0003948986.tif 000009
【図９】
0003948986.tif 000010
【図１０】
0003948986.tif 000011